(57)【要約】      （修正有）【課題】雨水排水を水平設置する小径管で満流排水するための新規な軒樋構造を提供する.更に、かかる軒樋及び立樋の洗浄が高所作業なしで雨水排水系統の定期メンテナンス洗浄を容易にする雨水排水システムを提供する。【解決手段】水平に配置される小径管1と、当該小径管1の上弦部に複数の集水穴2を形成し、かつ、この小径管1の側方より上方に伸びて雨水を集水する堰板3a,3bと、当該小径管1の下弦部に立樋11に接続する排水穴を形成し、前記小径管1にサイホン機能をもたらすトラップ機構を備えた軒樋A。【選択図】図１
2006029014.tif 000002
【特許請求の範囲】
【請求項１】
水平に配置される小径管と、当該小径管の上弦部に複数の集水穴を形成し、かつ、この小径管の側方より上方に伸びて雨水を集水する堰板と、当該小径管の下弦部に立樋に接続する排水穴を形成したことを特徴とする軒樋。
【請求項２】
水平に配置される小径管と、当該小径管の上弦部に複数の集水穴を形成し、かつ、この小径管の側方より上方に伸びて雨水を集水する堰板と、当該小径管の下弦部に立樋に接続する排水穴と、を形成した軒樋と、逆洗浄機能付き雨水集合枡と、この間を接続する立樋と、からなることを特徴とする軒樋雨水排水システム。
【請求項３】
小径管にサイホン機能をもたらすトラップ機構を備えた請求項１又は２記載の軒樋雨水排水システム。
【発明の詳細な説明】
【技術分野】
【０００１】
本発明は、軒樋雨水排水を満流流れにて排水する新規な軒樋及びその雨水排水システムを提供するものである。
【背景技術】
【０００２】
一般に、傾斜屋根の雨水排水は、半円形状断面の樋の勾配で雨水を大径雨水立樋に流入させて自然落下で排水し、雨水トラップ等を介して敷地排水系統の排水枡に合流させる。又、雨水排水立樋は外壁面に露出配管され、管径は比較的大径の５０〜１００ｍｍであるが、サイホン排水を利用して比較的小径の２０〜５０ｍｍで排水する排水技術もある。
【０００３】
しかるに、半円形軒樋は深さが浅く横引を長く設計すると下流側が下がり見栄えが悪く、通常は片側長さは５ｍぐらいが目安である。その結果、一般に最大雨水立樋の設置間隔は１０ｍであり、１住戸あたり立樋を数本設置する必要がある。勿論、大屋根は処理雨水が多く立樋本数も比例して多くなり、デザインの都合や柱間隔が大きい場合は、最大立樋間隔を上回ることもある。
【０００４】
更に、大スパン建築等で立樋を露出して降ろす適当な場所がなかったり、大型の軒樋を特別製作して軒裏に隠蔽横引きする場合も多い。この例では清掃が困難になる等の設計、維持管理上の苦労が尽きない問題である。即ち、軒樋は勿論であるが、立樋内の洗浄を行う必要があり、従来の雨水集排水システムでは洗浄がしにくく、洗浄の際の時間がかかるという欠点があった。
【発明の開示】
【発明が解決しようとする課題】
【０００５】
本発明は、雨水排水を水平設置する小径管で満流排水するための新規な軒樋構造を提供するものであり、かかる軒樋及び立樋の洗浄が高所作業なしで雨水排水系統の定期メンテナンス洗浄を容易にする雨水排水システムを提供するものである。
【課題を解決するための手段】
【０００６】
本発明の第１は、水平に配置される小径管と、当該小径管の上弦部に複数の集水穴を形成し、かつ、この小径管の側方より上方に伸びて雨水を集水する堰板と、当該小径管の下弦部に立樋に接続する排水穴を形成したことを特徴とする軒樋に関するものである。
【０００７】
そして、本発明の第２は、水平に配置される小径管と、当該小径管の上弦部に複数の集水穴を形成し、かつ、この小径管の側方より上方に伸びて雨水を集水する堰板と、当該小径管の下弦部に立樋に接続する排水穴と、を形成した軒樋と、逆洗浄機能付き雨水集合枡と、この間を接続する立樋と、からなることを特徴とする軒樋雨水排水システムに関するものである。
【０００８】
好ましくは、本発明の第１及び第２において小径管にサイホン機能をもたらすトラップ機構を備えた軒樋及び排水システムである。
【発明の効果】
【０００９】
本発明は以上の通りであり、軒樋を水平に引き伸ばすことによって機能性は勿論デザイン性の点でも優れたものとなり、更に樋への逆洗浄によって高所の作業なくして洗浄が可能となったものであり、メンテナンスの上で極めて優れたシステムとなった。
【発明を実施するための最良の形態】
【００１０】
第１の発明にあっては、雨水排水を水平設置する小径管で満流排水するもので、設計最大雨量時に軒樋の流水深を大きく確保するため、小径管の側部より堰板を立設したものであり、一対の堰板にて例えばＶ字断面を形成し、その底部に円形断面の小径管即ち軒樋を備えたものである。そして、この堰板内に集められた雨水は小径管の上弦部に形成された集水穴より小径管内に入り、好ましくは、サイホン現象にて立樋を通って排出される。軒樋は比較的細く、しかも水平に設置できるため、見栄え収まりが良く、かつ横引き限界長さを１０〜２０ｍぐらいまで延長できるので、軒先のデザインをすっきり設計できるというメリットがある。
【００１１】
第２の発明にあって、この軒樋に溜まる排水汚泥を、敷地排水枡から空気及び加圧水を通常の雨水排水方向と逆方向から圧送し、集水排水口等の沈殿する汚泥を攪拌洗浄し通常の排水経路を使って排水しながら清掃するシステムの提案である。即ち、地上から加圧空気、加圧送水等により雨水排水管系統の逆流洗浄作業ができ、危険で高コストな高所作業なしで多くの清掃手間を省き、ローコストな雨水排水系統の定期管洗浄メンテナンスが容易になるメリットがある。大屋根、高層建築でも立樋間隔を２０ｍ以上にできるので、雨水立樋数が半数以下にできローコスト設計が可能になる。
【００１２】
尚、サイホン現象をもたらす装置の例としては、後述するような簡便な手段が採用可能である。
【実施例】
【００１３】
以下、図面をもって本発明を更に詳細に説明する。
図１は本発明の第１における軒樋Ａを示す図である。符号１は水平に配置される小径管であり、この上弦部に複数の集水穴２が穿孔されている。そして、小径管１の側方よりややＶ字状に堰板３ａ、３ｂが伸びている。尚、この例では集水穴２内に雨水が入り易いように断面皿状の樋４が備えられている。尚、小径管１には立樋との接続部５が備えられている。この図では堰板３ａが屋根の軒下に入り込むように他方の堰板３ｂよりも背丈をやや低くしてある。
【００１４】
従って、屋根上に降った雨水は堰板３ａ、３ｂ間の空間に流れ込み、集水穴２より小径管１内に入る。そして、この小径管１内を移動して立樋１１に至り排水されることとなるが、これにサイホン現象をもたらすトラップ装置１０を備えるのがよく、例えば、図２に示すような管１０ａを上方に湾曲１０ｂさせ、雨水がこの湾曲部１０ｂを越えるようになったら一気にサイホン現象がもたらされる逆Ｕ字状のトラップ装置を軒樋Ａの小径管１に接続しておくのがよい。
【００１５】
このトラップ装置を軒樋Ａに備えることによってサイホン現象がもたらされ、雨水が小径管１内を満流流れとなって立樋１１内を一気に流下することとなる。
【００１６】
図３はトラップ装置の他の例を示す側面図であり、管１０ａをこの管１０ａよりも下側にて環状に巻き掛け１０ｃした形状をなしている。このトラップ装置は図２のトラップ装置と比べ、管１０ａよりも上側にトラップの頂部が出ないという特徴があり、軒樋が外観上特に優れたものとなる。
【００１７】
図４は本発明の第２における軒樋雨水排水システムの概念図であり、上記した第１発明のトラップ装置を備えた軒樋Ａを用い、これに用いられた小径管１と同径の立樋１１を接続し、これをそのまま雨水集合枡１２へ接続した例である。
【００１８】
雨水排水について言えば、軒樋Ａ内の雨水はサイホン流れによって立樋１１内を流下し、雨水集合枡１２内に流れ込み、ここで下水管１３に合流することになる。
【００１９】
一方、既に述べたように軒樋Ａ及び立樋１１内には細かい砂やごみ等が堆積しやすいため、これを除去する必要があり、このため、本発明の第２にあっては、これらに雨水集合枡１２側より圧縮空気や水圧をかけ、いわゆる逆流洗浄させることによって除去できることとしたものであり、雨水集合枡１２に至る端部１４は上向きとされ、これに例えば高圧の水を逆に流すことによって洗浄が可能となったものである。尚、雨水集合枡１２内の端部１４は回転可能としておき、必要な場合に上向きにすることができるものであってもよい。
【００２０】
以上、本発明の第１にあっては、軒先に小径管（水平横引管）を設け、そのまま雨水立樋に接続しサイホン吸引力を利用して軒先雨水を雨水立樋に導き排水するもので、軒樋は水平設置されるので見栄え収まりがよく、かつ横引限界長さを１０〜２０ｍぐらいまで延長でき、軒先のデザインをスッキリ軽快感ある設計ができるというメリットがある。
【００２１】
本発明の第２にあっては、軒先の水平横引管と立樋の耐圧力性能を活かして、地上から加圧空気や加圧送水により逆流洗浄ができ、高所作業なしで清掃ができることとなったものである。
【産業上の利用可能性】
【００２２】
本発明は以上の通りであり、空き敷地の少ない小規模都市建築、戸建住宅、学校や病院等の長大で平面計画の建築、体育館、駅舎、空港ターミナルビル等の長大で大面積屋根建築、マンション、事務所等の超高層建築での外壁面雨水処理システムに適用可能であり、その利用範囲は大きい。
【図面の簡単な説明】
【００２３】
【図１】図１は本発明の第１における軒樋Ａを示す図である。
【図２】図２はトラップ装置の一例を示す図である。
【図３】図３はトラップ装置の一例を示す図である。
【図４】図４は本発明の第２における雨水排水システムの概念図である。
【符号の説明】
【００２４】
Ａ‥軒樋、
１‥小径管、
２‥集水穴、
３ａ、３ｂ‥堰板、
４‥断面皿状の樋、
５‥接続部、
１０‥小径管のトラップ装置、
１０ａ‥小径管、
１０ｂ‥小径管の湾曲部、
１０ｃ‥小径管の巻き掛け部、
１１‥立樋、
１２‥雨水集合枡、
１３‥下水管、
１４‥端部。
【図１】
2006029014.tif 000003
【図２】
2006029014.tif 000004
【図３】
2006029014.tif 000005
【図４】
2006029014.tif 000006